(57)【特許請求の範囲】
【請求項１】
被写体像を撮像する撮像手段と、前記撮像手段から出力される撮像した被写体像に応じた画像データを取り込み、前記画像データに対して画像処理を行う画像処理手段と、前記画像処理手段により画像処理された画像を表示するための画像表示手段とを有する撮像装置において、
色空間に対して色相領域を設定する色相領域設定手段と、
色空間に対して色相回転量を設定する色相回転量設定手段と、
色空間に対して彩度変更量を設定する彩度変更量設定手段と、
前記色相領域設定手段に対して任意の色相領域を設定させるための第１の設定入力手段と、
前記色相回転量設定手段に対して任意の色相回転量を設定させるための第２の設定入力手段と、
彩度変更量設定手段に対して任意の彩度変更量を設定させるための第３の設定入力手段と、
前記画像表示手段に表示された画像内の特定の色に対して色相と彩度の変更を行う色補正制御手段とを備え、
前記色補正制御手段は、前記第１の設定入力手段により前記色相領域設定手段に対して任意の色相領域を設定すると共に、前記第２の設定入力手段により前記色相回転量設定手段に対して任意の色相回転量を設定し、更に前記第３の設定入力手段により前記彩度変更量設定手段に対して任意の彩度変更量を設定することにより、入力される設定された前記色相領域の色相回転量と設定された前記彩度変更量とに基づいて、前記画像表示手段に表示された画像内の特定の色に対して色相と彩度の変更を行い、
更に、前記第２の設定入力手段により前記色相回転量設定手段に対して任意の色相回転量を設定するときに、前記画像表示手段に色空間を示すチャートが表示され、表示された色空間チャート画面上で前記第２の設定入力手段により色相回転後の色相領域開始角度と終了角度の設定を行うことを特徴とする撮像装置。
【請求項２】
被写体像を撮像する撮像手段と、前記撮像手段から出力される撮像した被写体像に応じた画像データを取り込み、前記画像データに対して画像処理を行う画像処理手段と、前記画像処理手段により画像処理された画像を表示するための画像表示手段とを有する撮像装置において、
色空間に対して色相領域を設定する色相領域設定手段と、
色空間に対して色相回転量を設定する色相回転量設定手段と、
色空間に対して彩度変更量を設定する彩度変更量設定手段と、
前記色相領域設定手段に対して任意の色相領域を設定させるための第１の設定入力手段と、
前記色相回転量設定手段に対して任意の色相回転量を設定させるための第２の設定入力手段と、
彩度変更量設定手段に対して任意の彩度変更量を設定させるための第３の設定入力手段と、
前記画像表示手段に表示された画像内の特定の色に対して色相と彩度の変更を行う色補正制御手段とを備え、
前記色補正制御手段は、前記第１の設定入力手段により前記色相領域設定手段に対して任意の色相領域を設定すると共に、前記第２の設定入力手段により前記色相回転量設定手段に対して任意の色相回転量を設定し、更に前記第３の設定入力手段により前記彩度変更量設定手段に対して任意の彩度変更量を設定することにより、入力される設定された前記色相領域の色相回転量と設定された前記彩度変更量とに基づいて、前記画像表示手段に表示された画像内の特定の色に対して色相と彩度の変更を行い、
更に、前記第３の設定入力手段により前記彩度変更量設定手段に対して任意の彩度変更量を設定するときに、前記画像表示手段に彩度変更量を示すパーセンテージが表示され、表示された彩度変更量パーセンテージ画面上で前記第３の設定入力手段により彩度変更量の設定を行うことを特徴とする撮像装置。
【請求項３】
前記第１の設定入力手段により前記色相領域設定手段に対して任意の色相領域を設定するときに、前記画像表示手段に色空間を示すチャートが表示され、表示された色空間チャート画面上で前記第１の設定入力手段により色相領域開始角度と終了角度の設定を行なうことを特徴とする請求項１又は２に記載の撮像装置。
【発明の詳細な説明】
【技術分野】
【０００１】
本発明は、デジタルスチルカメラ、デジタルビデオカメラ等の撮像装置に関する。
【背景技術】
【０００２】
デジタルスチルカメラ（以下、「デジタルカメラ」という）では、撮影レンズ系を通して被写体像がＣＣＤ等の撮像素子に入射されると、この撮像素子から出力される画像信号に対して信号処理部で所定の信号処理を行うことで、被写体像に応じた画像データを得ることができる。更に、得られた画像データに対して、表示部（モニター画面）に表示するための処理や、メモリ等に保存するため処理が行われる。
【０００３】
また、最近では、撮影に関して専門的な知識を有していない初心者等であっても、様々な撮影シーンに応じて適切な画質の画像が簡単に得られるように、複数の撮影モードを有しているデジタルカメラも提案されている（例えば、特許文献１参照）。
【発明の概要】
【発明が解決しようとする課題】
【０００４】
前記特許文献１のような撮像装置（カメラ装置）では、ユーザが所定の撮影モードを設定すると、その撮影モードに対応した画質パラメータ（彩度、色相、シャープネス、コントラスト、ホワイトバランスなど）に基づいて画像データ処理が行われる。ところで、前記画質パラメータ（彩度、色相、シャープネス、コントラスト、ホワイトバランスなど）は、複数の撮影モードに対応して最適な画質が得られるように初期設定されたパラメータ値として記憶されている。
【０００５】
このため、撮影状況等によって、表示部（モニター画面）に表示された撮影画像内の特定の色が実際の被写体の色と異なっている場合に、撮影時に撮影画像内の特定の色を実際の被写体の色に補正することができなかった。
【０００６】
そこで、本発明は、撮影時に撮影画像内の特定の色を、実際の被写体の色に容易にかつ詳細に補正することができる撮像装置を提供することを目的とする。
【課題を解決するための手段】
【０００７】
前記目的を達成するために請求項１に記載の撮像装置は、被写体像を撮像する撮像手段と、前記撮像手段から出力される撮像した被写体像に応じた画像データを取り込み、前記画像データに対して画像処理を行う画像処理手段と、前記画像処理手段により画像処理された画像を表示するための画像表示手段とを有する撮像装置において、色空間に対して色相領域を設定する色相領域設定手段と、色空間に対して色相回転量を設定する色相回転量設定手段と、色空間に対して彩度変更量を設定する彩度変更量設定手段と、前記色相領域設定手段に対して任意の色相領域を設定させるための第１の設定入力手段と、前記色相回転量設定手段に対して任意の色相回転量を設定させるための第２の設定入力手段と、彩度変更量設定手段に対して任意の彩度変更量を設定させるための第３の設定入力手段と、前記画像表示手段に表示された画像内の特定の色に対して色相と彩度の変更を行う色補正制御手段とを備え、前記色補正制御手段は、前記第１の設定入力手段により前記色相領域設定手段に対して任意の色相領域を設定すると共に、前記第２の設定入力手段により前記色相回転量設定手段に対して任意の色相回転量を設定し、更に前記第３の設定入力手段により前記彩度変更量設定手段に対して任意の彩度変更量を設定することにより、入力される設定された前記色相領域の色相回転量と設定された前記彩度変更量とに基づいて、前記画像表示手段に表示された画像内の特定の色に対して色相と彩度の変更を行い、更に、前記第２の設定入力手段により前記色相回転量設定手段に対して任意の色相回転量を設定するときに、前記画像表示手段に色空間を示すチャートが表示され、表示された色空間チャート画面上で前記第２の設定入力手段により色相回転後の色相領域開始角度と終了角度の設定を行うことを特徴としている。
【０００８】
請求項２に記載の撮像装置は、被写体像を撮像する撮像手段と、前記撮像手段から出力される撮像した被写体像に応じた画像データを取り込み、前記画像データに対して画像処理を行う画像処理手段と、前記画像処理手段により画像処理された画像を表示するための画像表示手段とを有する撮像装置において、色空間に対して色相領域を設定する色相領域設定手段と、色空間に対して色相回転量を設定する色相回転量設定手段と、色空間に対して彩度変更量を設定する彩度変更量設定手段と、前記色相領域設定手段に対して任意の色相領域を設定させるための第１の設定入力手段と、前記色相回転量設定手段に対して任意の色相回転量を設定させるための第２の設定入力手段と、彩度変更量設定手段に対して任意の彩度変更量を設定させるための第３の設定入力手段と、前記画像表示手段に表示された画像内の特定の色に対して色相と彩度の変更を行う色補正制御手段とを備え、前記色補正制御手段は、前記第１の設定入力手段により前記色相領域設定手段に対して任意の色相領域を設定すると共に、前記第２の設定入力手段により前記色相回転量設定手段に対して任意の色相回転量を設定し、更に前記第３の設定入力手段により前記彩度変更量設定手段に対して任意の彩度変更量を設定することにより、入力される設定された前記色相領域の色相回転量と設定された前記彩度変更量とに基づいて、前記画像表示手段に表示された画像内の特定の色に対して色相と彩度の変更を行い、更に、前記第３の設定入力手段により前記彩度変更量設定手段に対して任意の彩度変更量を設定するときに、前記画像表示手段に彩度変更量を示すパーセンテージが表示され、表示された彩度変更量パーセンテージ画面上で前記第３の設定入力手段により彩度変更量の設定を行うことを特徴としている。
【０００９】
請求項３に記載の撮像装置は、前記第１の設定入力手段により前記色相領域設定手段に対して任意の色相領域を設定するときに、前記画像表示手段に色空間を示すチャートが表示され、表示された色空間チャート画面上で前記第１の設定入力手段により色相領域開始角度と終了角度の設定を行なうことを特徴としている。
【発明の効果】
【００１１】
請求項１に記載の撮像装置によれば、画像表示手段に表示された撮影画像に対して、撮影状況等によってこの撮影画像内の特定の色が実際の被写体の色と異なっている場合でも、撮影画像内の特定の色を被写体の色に容易に補正することができる。更に、画像表示手段に表示された色空間チャート画面上で第２の設定入力手段により色相回転後の色相領域開始角度と終了角度の設定を行なうことにより、ユーザが表示された色空間チャート画面を見ながら設定することができ、設定操作を容易に行うことが可能となる。
【００１２】
請求項２に記載の撮像装置によれば、画像表示手段に表示された撮影画像に対して、撮影状況等によってこの撮影画像内の特定の色が実際の被写体の色と異なっている場合でも、撮影画像内の特定の色を被写体の色に容易に補正することができる。更に、画像表示手段に表示された彩度変更量パーセンテージ画面上で第３の設定入力手段により彩度変更量の設定を行なうことにより、ユーザが表示された彩度変更量パーセンテージ画面を見ながら設定することができ、設定操作を容易に行うことが可能となる。
【００１３】
請求項３に記載の撮像装置によれば、画像表示手段に表示された色空間チャート画面上で第１の設定入力手段により色相領域開始角度と終了角度の設定を行なうことにより、ユーザが表示された色空間チャート画面を見ながら設定することができ、設定操作を容易に行うことが可能となる。
【図面の簡単な説明】
【００１５】
【図１】（ａ）は、本発明の実施形態１に係る撮像装置の一例としてのデジタルカメラを示す正面図、（ｂ）は、その上面図、（ｃ）は、その背面図。
【図２】本発明の実施形態１に係る撮像装置の一例としてのデジタルカメラ内のシステム構成の概要を示すブロック図。
【図３】画像データ処理部の構成を示すブロック図。
【図４】（ａ）は、γ補正処理部で入出力変換処理を行う際のγ補正曲線の一例を示す図、（ｂ）は、画像出力装置での入力信号に対する出力信号の出力特性の一例を示す図。
【図５】ＣｂＣｒ色空間の一例を示す図。
【図６】エッジ強調処理部の構成を示すブロック図。
【図７】制御部内に設けられた色相設定部、色相回転量設定部、彩度変更量設部、特定色補正制御部を示すブロック図。
【図８】本実施形態における特定色に対する色補正制御を示すフローチャート。
【図９】本実施形態における色相の変更設定処理を示すフローチャート。
【図１０】（ａ）は、ＣｂＣｒ色空間において色相変更前の領域設定の一例を示した図、（ｂ）は、ＣｂＣｒ色空間において色相変更後の領域設定の一例を示した。
【図１１】（ａ）は、ＣｂＣｒ色空間において色相変更前領域と色相変更後領域のサイズが同じ場合の一例を示した図、（ｂ）は、ＣｂＣｒ色空間において色相変更前領域と色相変更後領域のサイズが異なっている場合の一例を示した図。
【発明を実施するための最良の形態】
【００１６】
以下、本発明を図示の実施形態に基づいて説明する。図１は、本発明の実施形態に係る撮像装置の一例としてのデジタルカメラを示す正面図、図１（ｂ）は、その上面図、図１（ｃ）は、その背面図、図２は、図１（ａ），（ｂ），（ｃ）に示したデジタルカメラ内のシステム構成の概要を示すブロック図である。
【００１７】
（デジタルカメラの外観構成）
図１（ａ），（ｂ），（ｃ）に示すように、本実施形態に係るデジタルカメラ１の上面側には、レリーズボタン（シャッタボタン）２、電源ボタン３、撮影・再生切替ダイアル４が設けられており、デジタルカメラ１の正面（前面）側には、撮影レンズ系５を有する鏡胴ユニット６、ストロボ発光部（フラッシュ）７、光学ファインダ８が設けられている。
【００１８】
デジタルカメラ１の背面側には、液晶モニタ（ＬＣＤ）９、前記光学ファインダ８の接眼レンズ部８ａ、広角側ズーム（Ｗ）スイッチ１０、望遠側ズーム（Ｔ）スイッチ１１、メニュー（ＭＥＮＵ）ボタン１２、設定切替ボタン１３等が設けられている。また、デジタルカメラ１の側面内部には、撮影した画像データを保存するためのメモリカード１４（図２参照）を収納するメモリカード収納部１５が設けられている。
【００１９】
（デジタルカメラのシステム構成）
図２に示すように、このデジタルカメラ１は、鏡胴ユニット６の撮影レンズ系５を通して入射される被写体像が受光面上に結像する固体撮像素子としてのＣＣＤ２０、ＣＣＤ２０から出力される電気信号（アナログＲＧＢ画像信号）をデジタル信号に処理するアナログフロントエンド部（以下、「ＡＦＥ部」という）２１、ＡＦＥ部２１から出力されるデジタル信号を処理する信号処理部２２、データを一時的に格納するＳＤＲＡＭ２３、制御プログラム等が記憶されたＲＯＭ２４、鏡胴ユニット６を駆動するモータドライバ２５等を有している。
【００２０】
鏡胴ユニット６は、ズームレンズやフォーカスレンズ等を有する撮影レンズ系５、絞りユニット２６、メカシャッタユニット２７を備えており、撮影レンズ系５、絞りユニット２６、メカシャッタユニット２７の各駆動ユニットは、モータドライバ２５によって駆動される。モータドライバ２５は、信号処理部２２の制御部（ＣＰＵ）２８からの駆動信号により駆動制御される。
【００２１】
ＣＣＤ２０は、ＣＣＤ２０を構成する複数の画素上にＲＧＢ原色フィルタ（不図示）が配置されており、ＲＧＢ３原色に対応した電気信号（アナログＲＧＢ画像信号）が出力される。
【００２２】
ＡＦＥ部２１は、ＣＣＤ２０を駆動するＴＧ（タイミング信号発生部）３０、ＣＣＤ２０から出力される電気信号（アナログＲＧＢ画像信号）をサンプリングするＣＤＳ（相関２重サンプリング部）３１、ＣＤＳ３１にてサンプリングされた画像信号のゲインを調整するＡＧＣ（アナログ利得制御部）３２、ＡＧＣ３２でゲイン調整された画像信号をデジタル信号（以下、「ＲＡＷ−ＲＧＢデータ」という）に変換するＡ／Ｄ変換部３３を備えている。
【００２３】
信号処理部２２は、ＡＦＥ部２１のＴＧ３０からの画面水平同期信号（ＨＤ）と画面垂直同期信号（ＶＤ）、および画素転送クロック（ピクセルクロック）の出力を受け、これらの同期信号に合わせて、ＡＦＥ部２１のＡ／Ｄ変換部３３から出力されるＲＡＷ−ＲＧＢデータを取り込むＣＣＤインターフェース（以下、「ＣＣＤＩ／Ｆ」という）３４と、ＳＤＲＡＭ２３を制御するメモリコントローラ３５と、取り込んだＲＡＷ−ＲＧＢデータを表示や記録が可能な画像データに変換処理する画像データ処理部３６と、表示や記録される画像データのサイズに合わせて画像サイズを変更処理するリサイズ処理部３７と、画像データを液晶モニタ（ＬＣＤ）９に表示出力するための表示出力制御部３８と、画像データをＪＰＥＧ形成などで記録するためのデータ圧縮部３９と、画像データをメモリカード１４へ書き込み、又はメモリカード１４に書き込まれた画像データを読み出すメディアインターフェース（以下、「メディアＩ／Ｆ」という）４０と、操作部４１からの操作入力情報に基づき、ＲＯＭ２４に記憶された制御プログラムに基づいてデジタルカメラ１全体のシステム制御等を行う制御部２８を備えている。
【００２４】
操作部４１は、デジタルカメラ１（図１（ａ），（ｂ），（ｃ）参照）の外観表面に設けられているレリーズボタン２、電源ボタン３、撮影・再生切替ダイアル４、広角側ズームスイッチ１０、望遠側ズームスイッチ１１、メニューボタン１２、設定切替ボタン１３等であり、撮影者の操作によって所定の動作指示信号が制御部２８に入力される。
【００２５】
ＳＤＲＡＭ２３には、ＣＣＤＩ／Ｆ３４に取り込まれたＲＡＷ−ＲＧＢデータが保存されると共に、画像データ処理部３６で変換処理されたＹＵＶデータ（ＲＡＷ−ＲＧＢデータを、輝度データ（Ｙ）と色差成分画像データ(Ｃｂ、Ｃｒ)に変換処理したＹＣｂＣｒデータ）が保存され、更に、データ圧縮部３９で圧縮処理されたＪＰＥＧ形成などの画像データが保存される。
【００２６】
（被写体撮影時の画像データ処理）
次に、前記したデジタルカメラ１の被写体撮影時における画像データ処理について説明する。
【００２７】
ユーザ（撮影者）が電源ボタン３をＯＮし、撮影・再生切替ダイアル４を撮影モードに設定することで、デジタルカメラ１が記録モードで起動する。電源ボタン３がＯＮされて、撮影・再生切替ダイアル４が撮影モードに設定されたことを制御部２８が検知すると、制御部２８はモータドライバ２５に制御信号を出力して、鏡胴ユニット６を撮影可能位置に移動させ、かつＣＣＤ２０、ＡＦＥ部２１、信号処理部２２、ＳＤＲＡＭ２３、ＲＯＭ２４、液晶モニタ９等を起動させる。
【００２８】
そして、鏡胴ユニット６の撮影レンズ系５を被写体に向けることにより、撮影レンズ系５を通して入射される被写体像がＣＣＤ２０の各画素の受光面上に結像する。そして、ＣＣＤ２０から出力される被写体像に応じた電気信号（アナログＲＧＢ画像信号）は、ＣＤＳ３１、ＡＧＣ３２を介してＡ／Ｄ変換部３３に入力され、Ａ／Ｄ変換部３３によりＲＡＷ−ＲＧＢデータに変換する。このＲＡＷ−ＲＧＢデータは、信号処理部２２のＣＣＤＩ／Ｆ３４に取り込まれてメモリコントローラ３５を介してＳＤＲＡＭ２３に保存される。
【００２９】
そして、信号処理部２２のＣＣＤＩ／Ｆ３４は、取り込まれたＲＡＷ−ＲＧＢデータより、ＡＦ（自動合焦）評価値、ＡＥ（自動露出）評価値、ＡＷＢ（オートホワイトバランス）評価値を算出する。
【００３０】
ＡＦ評価値は、例えば高周波成分抽出フィルタの出力積分値や、近接画素の輝度差の積分値によって算出される。合焦状態にあるときは、被写体のエッジ部分がはっきりとしているため、高周波成分が一番高くなる。これを利用して、ＡＦ動作時（合焦検出動作時）には、撮影レンズ系５の各フォーカス位置におけるＡＦ評価値を取得して、その極大になる点を合焦検出位置としてＡＦ動作が実行される。
【００３１】
ＡＥ評価値とＡＷＢ評価値は、ＲＡＷ−ＲＧＢデータにおけるＲＧＢ値のそれぞれの積分値から算出される。例えば、ＣＣＤ２０の全画素の受光面に対応した画面を２５６エリアに等分割（水平１６分割、垂直１６分割）し、それぞれのエリアのＲＧＢ積算を算出する。そして、制御部２８は、算出されたＲＧＢ積算値を読み出し、ＡＥ処理では、画面のそれぞれのエリアの輝度を算出して、輝度分布から適正な露光量を決定する。決定した露光量に基づいて、露光条件（ＣＣＤ２０の電子シャッタ回数、絞りユニット２６の絞り値等）を設定する。また、ＡＷＢ処理では、ＲＧＢの分布から被写体の光源の色に合わせたＡＷＢの制御値を決定する。
【００３２】
そして、レリーズボタン２が押圧（半押しから全押し）操作される静止画撮影動作が開始されると静止画記録処理が行われる。
【００３３】
即ち、レリーズボタン２が押圧（半押しから全押し）操作されると、制御部２８からモータドライバ２５への駆動指令により撮影レンズ系５のフォーカスレンズが移動し、例えば、いわゆる山登りＡＦと称されるコントラスト評価方式のＡＦ動作が実行される。ＡＦ（合焦）対象範囲が無限から至近までの全領域であった場合、撮影レンズ系５のフォーカスレンズは、至近から無限、又は無限から至近までの間の各フォーカス位置に移動し、ＣＣＤＩ／Ｆ３４で算出されている各フォーカス位置における前記ＡＦ評価値を制御部２８が読み出す。そして、各フォーカス位置のＡＦ評価値が極大になる点を合焦位置としてフォーカスレンズを合焦位置に移動させ、合焦させる。
【００３４】
そして、前記したＡＥ処理が行われ、露光完了時点で、制御部２８からモータドライバ２５への駆動指令によりメカシャッタユニット２７が閉じられ、ＣＣＤ２０から静止画用のアナログＲＧＢ画像信号が出力される。そして、ＡＦＥ部２１のＡ／Ｄ変換部３３によりＲＡＷ−ＲＧＢデータに変換される。
【００３５】
そして、このＲＡＷ−ＲＧＢデータは、信号処理部２２のＣＣＤＩ／Ｆ３４に取り込まれ、後述する画像データ処理部３６でＹＵＶデータに変換されて、メモリコントローラ３５を介してＳＤＲＡＭ２３に保存される。そして、このＹＵＶデータはＳＤＲＡＭ２３から読み出されて、リサイズ処理部３７で記録画素数に対応するサイズに変換され、データ圧縮部３９でＪＰＥＧ形式等の画像データへと圧縮される。圧縮されたＪＰＥＧ形式等の画像データは、ＳＤＲＡＭ２３に書き戻された後にメモリコントローラ３５を介してＳＤＲＡＭ２３から読み出され、メディアＩ／Ｆ４０を介してメモリカード１４に保存される。
【００３６】
画像データ処理部３６には、図３に示すように、取り込んだＲＡＷ−ＲＧＢデータを表示や記録が可能な画像データに変換処理して出力するための、ホワイトバランス（ＷＢ）処理部５０、γ補正処理部５１、補間処理部５２、ＹＣｂＣｒ変換処理部５３、色補正処理部５４、エッジ強調処理部５５を有している。
【００３７】
ホワイトバランス（ＷＢ）処理部５０は、ＣＣＤＩ／Ｆ３４で算出された前記ＡＷＢ評価値に基づいて、ＣＣＤ２０の全画素上に配置されているＲＧＢフィルタの分布から被写体の光源の色に合わせたホワイトバランスの制御値を決定するＷＢ処理を行って、ホワイトバランスを合わせる。
【００３８】
即ち、被写体からの光量を蓄積するＣＣＤ２０の各画素には、Ｒ（レッド）、Ｇ（グリーン）、Ｂ（ブルー）のいずれか１色のカラーフィルタがベイヤ配置されているが、カラーフィルタの色によって透過する光量が変わってくるため、各画素に蓄積される電荷量が異なっている。ベイヤ配置のＲＧＢカラーフィルタでは、最も画素感度が高いのはＧフィルタで、ＲフィルタとＢフィルタはＧフィルタと比較すると約半分程度の画素感度である。よって、ＷＢ処理では、これらのカラーフィルタの画素感度差を補い、撮影画像の中の白色を白く見せるために、ＲフィルタとＢフィルタの画素からの出力にゲインを掛ける処理を行う。
【００３９】
また、物の色は、光源色（例えば、太陽光、蛍光灯など）によって変わってくるため、ホワイトバランス（ＷＢ）処理部５０は、光源が変わっても白色を白く見せるように、ＲフィルタとＢフィルタの画素からの出力に掛けるゲインを変更し、制御する機能を有している。
【００４０】
γ補正処理部５１は、ホワイトバランス（ＷＢ）処理部５０でホワイトバランスが合わされた各画素出力データに対して、例えば、図４（ａ）に示すようなγ補正の曲線によって入出力変換処理を行う。なお、図４（ａ）の横軸は入力信号、縦軸は出力信号である。
【００４１】
即ち、このデジタルカメラ１の液晶モニタ（ＬＣＤ）９などの画像出力装置では、例えば、図４（ｂ）に示すように、入力信号に対して出力信号は非線形な特性で出力される。なお、図４（ｂ）の横軸は入力信号、縦軸は出力信号である。このような非線形な出力の場合、表示される画像の階調性が異なったものとなる。そこで、画像出力装置の出力特性が線形性を保つように予め入力信号に対してγ補正処理を行なう。
【００４２】
補間処理部５２は、１画素に１色のデータしか持っていないＲＡＷデータに対して、足りない他の２色のデータを補うためにその周辺の画素から補間する補間演算処理を行う。
【００４３】
ＹＣｂＣｒ変換処理部５３は、ＲＧＢデータを表示や記録が可能なＹＵＶデータ（以下、「ＹＣｂＣｒデータ」という）に変換する処理を行う。
【００４４】
即ち、デジタルカメラ等で一般的に用いられているファイル形式のＪＰＥＧ画像では、ＹＣｂＣｒデータから画像が作成されるため、ＲＧＢデータをＹＣｂＣｒデータに変換する必要がある。この変換式としては、例えば、下記の式を用いることができる。
Ｙ  ＝  ０．２９９×Ｒ＋０．５８７×Ｇ＋０．１１４×Ｂ
Ｃｂ＝−０．２９９×Ｒ＋０．５８７×Ｇ＋０．８８６×Ｂ
Ｃｒ＝  ０．７０１×Ｒ−０．５８７×Ｇ−０．１１４×Ｂ
【００４５】
色補正処理部５４で行う色補正処理としては、彩度設定、色相設定、部分的な色相変更設定、色抑圧設定などが挙げられる。
【００４６】
彩度設定は、色の濃さを決定するパラメータ設定処理であり、例えば、図５に示すようなＣｂＣｒ色空間において、第２象限でＲ（レッド）の色に対して原点からＲ（レッド）のドットまでのベクトルの長さが長いほど、色の濃さは濃くなる。色相設定は、色合いを決定するパラメータ設定処理であり、例えば、図５のＣｂＣｒ色空間において、第３象限でＧ（グリーン）の色に対してベクトルの長さが同じであっても、ベクトルの向きが異なると色合いが変わってくる。
【００４７】
部分的な色相変更設定は、例えば、図５のＣｂＣｒ色空間において、第４象限に示すように部分的に色領域を回転させる処理である。また、彩度が強いと色が濃くなる一方で、色ノイズが強くなる傾向にある。そこで、色抑圧設定は、例えば輝度信号に対して閾値を設けて、この閾値よりも低い又は高い領域に対して彩度を抑えることにより色ノイズを抑える処理である。
【００４８】
エッジ強調処理部５５は、ＹＣｂＣｒ変換処理部５３で変換されたＹＣｂＣｒデータに対して画像に合わせたエッジ強調を行う。エッジ強調処理部５５は、図６に示すように、画像の輝度（Ｙ）信号からエッジ部分を抽出するエッジ抽出フィルタ部５６と、エッジ抽出フィルタ部５６により抽出されたエッジに対してゲインを掛けるゲイン乗算部５７と、エッジ抽出フィルタ部５６でのエッジ抽出と並行して画像のノイズを除去するローパスフィルタ（ＬＰＦ）部５８と、ゲイン乗算後のエッジ抽出データとローパスフィルタ処理後の画像データを加算する加算部５９を有している。
【００４９】
なお、エッジの強弱は、ゲイン乗算部５７のゲインによって決まり、ゲインが大きい場合にはエッジが強くなり、ゲインが小さい場合にはエッジが弱くなる。
【００５０】
前記した通常の撮影時には、制御部２８による制御によって画像データ処理部３６で前記した画像データ処理（ホワイトバランス（ＷＢ）処理、γ補正処理、補間処理、ＹＣｂＣｒ変換処理、色補正処理、エッジ強調処理）が自動的に行なわれる。
【００５１】
また、本実施形態では、被写体を撮影して上記した画像データ処理後に表示出力制御部３８を介して液晶モニタ９に表示された撮影画像に対して、この撮影画像内の特定の色（以下、「特定色」という）に対して色補正（色相、彩度の変更）ができるように、図７に示すように、デジタルカメラ１の制御部２８に、色空間に対して色相領域を設定する色相設定部６０と、色空間に対して色相回転量を設定する色相回転量設定部６１と、色空間に対して彩度変更量を設定する彩度変更量設定部６２と、液晶モニタ９に表示された撮影画像内の特定色に対して色補正制御を行う特定色補正制御部６３を有している。
【００５２】
また、本実施形態では、特定色に対して色補正を行うときに、デジタルカメラ１のメニューボタン１２及び設定切替ボタン１３の押圧操作により「特定色補正設定モード」を設定すると、液晶モニタ９にＣｂＣｒ色空間を示すチャートと、彩度変更量を示すパーセンテージを表示することができる。なお、本実施形態では、第１、第２、第３の各設定入力手段がメニューボタン１２及び設定切替ボタン１３に相当する。
【００５３】
（特定色に対する色補正（色相、彩度の変更）制御）
本実施形態における特定色に対する色補正（色相、彩度の変更）制御を、図８に示すフローチャートを参照して説明する。
【００５４】
ユーザが前記デジタルカメラ１で被写体を撮影すると、前記した画像データ処理によって表示出力制御部３８を介して液晶モニタ９に撮影画像が表示される。この際、撮影状況等によって、液晶モニタ９に表示された撮影画像内の特定色が、ユーザが直接見ている実際の被写体の色と異なっている場合がある。
【００５５】
そこで、このような場合に、液晶モニタ９に表示された撮影画像内の特定色を、この撮影時にユーザが実際の被写体の色と合うように、撮影画像内の特定色の色を補正したいと判断すると、メニューボタン１２及び設定切替ボタン１３を押圧操作して、液晶モニタ９の画面上で「特定色補正設定モード」に切替える（ステップＳ１）。そして、ステップＳ１で「特定色補正設定モード」に切替えられると、先ず色相の変更設定が行われる（ステップＳ２）。
【００５６】
ステップＳ２での色相の変更設定処理は、図９に示すフローチャートに示すように、最初に変更する色相領域を設定するために変更前の開始角度設定と変更前の終了角度設定を行なう（ステップＳ１１）。即ち、例えば、図１０（ａ）に示すような、ＣｂＣｒ色空間が液晶モニタ９の画面上に表示され、ユーザがメニューボタン１２及び設定切替ボタン１３を押圧操作することにより、色相設定部６０は、この画面上のＣｂＣｒ色空間（図では、第１象限）の中で色相を変更する領域の開始角度θ１と終了角度θ２を設定する。
【００５７】
そして、ユーザがステップＳ１１で設定した変更前の開始角度Ａ１と変更前の終了角度Ａ２の間の領域でＯＫあると判断すると（ステップＳ１２）、図１０（ｂ）に示すように、次に色相をどこまで変更させるかを、変更後の開始角度θ３と変更後の終了角度θ４で設定する（ステップＳ１３）。そして、撮影者がステップＳ１３で設定した変更後の開始角度θ３と変更後の終了角度θ４との間の領域でＯＫであると判断する（ステップＳ１４）。
【００５８】
そして、ステップＳ２での色相変更設定が終了すると（ステップＳ３）、次に、彩度の変更設定を行なう（ステップＳ４）。即ち、ユーザがメニューボタン１２及び設定切替ボタン１３を押圧操作して、液晶モニタ９の画面上に現在の彩度に対する彩度変更量を設定し、設定した彩度変更量をパーセンテージで表示させる。
【００５９】
そして、ステップＳ４での彩度変更設定が終了すると（ステップＳ５）、特定色補正制御部６３は、入力されるステップＳ２で設定された色相回転量設定情報とステップＳ４で設定された彩度変更設定情報とに基づいて、特定色に対する色補正（色相、彩度の変更）制御を行い、撮影画像内の特定色の色を実際の被写体の色と合うように補正する（ステップＳ６）。ステップＳ６で特定色に対する色補正が行われた後、液晶モニタ９に特定色の色を実際の被写体の色と合うように色補正された撮影画像が表示される。
【００６０】
なお、ステップＳ６での特定色の色補正（特定色に対する色相、彩度の変更）方法としては、例えば、図１１（ａ）に示すように、色相を変更する前の領域（色相変更前の開始角度θ１と終了角度θ２との間の領域）と色相を変更した後の領域（色相変更後の開始角度θ３と終了角度θ４との間の領域）のサイズが同じ場合は、単純な色相回転を行なう。そして、色相変更前領域の開始角度θ１と色相変更後領域の開始角度θ３との間の角度をθ５とし、色補正前の色情報をＣｂ、Ｃｒ、色補正後の色情報をＣｂ′、Ｃｒ′、彩度変更量をＡ（％）とすると、特定色の色補正後の色情報（Ｃｂ′、Ｃｒ′）は、下記の式から算出することができる。
Ｃｂ′＝（ｃｏｓθ５×Ｃｂ−ｓｉｎθ５×Ｃｒ）×Ａ／１００
Ｃｒ′＝（ｓｉｎθ５×Ｃｂ＋ｃｏｓθ５×Ｃｒ）×Ａ／１００
【００６１】
また、例えば、図１１（ｂ）に示すように、色相を変更する前の領域（色相変更前の開始角度θ１と終了角度θ２との間の領域）と色相を変更した後の領域（色相変更後の開始角度θ３と終了角度θ４との間の領域）のサイズが異なる場合（図１１（ｂ）では、色相変更後領域の方が大きい）は、  以下のようにして算出することができる。
【００６２】
即ち、色相変更前領域の開始角度θ１と終了角度θ２の間の角度をθａ、色相変更後領域の開始角度θ３と終了角度θ４の間の角度をθｂ、色補正する色情報の角度をθとし、色補正前の色情報をＣｂ、Ｃｒ、色補正後の色情報をＣｂ′、Ｃｒ′、彩度変更量をＡ（％）とすると、特定色の色補正後の色情報（Ｃｂ′、Ｃｒ′）は、下記の式から算出することができる。
Ｃｂ′＝（ｃｏｓθ６×Ｃｂ−ｓｉｎθ６×Ｃｒ）×Ａ／１００
Ｃｒ′＝（ｓｉｎθ６×Ｃｂ＋ｃｏｓθ６×Ｃｒ）×Ａ／１００
ただし、θ６＝（θ−θ１）×θｂ／θａ＋（θ３−θ１）
【００６３】
このように、本実施形態によれば、ユーザがデジタルカメラ１で被写体を撮影したときに、画像データ処理によって表示出力制御部３８を介して液晶モニタ９に表示された撮影画像に対して、撮影状況等によってこの撮影画像内の特定色が実際の被写体の色と異なっている場合でも、ユーザが任意の色空間領域を設定して、色相回転量と彩度変更量を液晶モニタ９の画面上で設定しながら変更することができるので、撮影画像内の特定色を、被写体の色に合わせて容易にかつ詳細に補正することができる。よって、忠実な色再現性を得ることができる。
【００６４】
なお、前記実施形態では、色空間をＣｂＣｒ空間で説明したが、これに限定されるものではない。
【符号の説明】
【００６５】
１        デジタルカメラ（撮像装置）
５        撮影レンズ系
９        液晶モニタ
１２      メニューボタン
１３      設定切替ボタン
２０      ＣＣＤ
２１      アナログフロントエンド部
２２      信号処理部
２８      制御部
３６      画像データ処理部
６０      色相設定部
６１      色相回転量設定部
６２      彩度変更量設定部
６３      特定色補正制御部
【先行技術文献】
【特許文献】
【００６６】
【特許文献１】特開２００４−４８７８６号公報
【図１】
0005482131.tif 000002
【図３】
0005482131.tif 000003
【図４】
0005482131.tif 000004
【図５】
0005482131.tif 000005
【図６】
0005482131.tif 000006
【図７】
0005482131.tif 000007
【図８】
0005482131.tif 000008
【図９】
0005482131.tif 000009
【図１０】
0005482131.tif 000010
【図１１】
0005482131.tif 000011
【図２】
0005482131.tif 000012